(57)【要約】【課題】位置計測による電力消費を低減することができる通信品質情報送信装置及び通信品質情報送信方法を提供する。【解決手段】携帯型端末装置２は、位置計測を実行して位置情報を取得する測位部２１と、アプリケーションプログラム２６ａ，２６ｂによる測位要求を検出し、測位要求に応じて測位部２１によって取得された位置情報を位置情報格納部２７に記憶する位置情報記憶部２２と、通信品質を検出することによって通信品質に関する通信品質情報を取得する通信品質検出部２３と、通信品質検出部２３によって取得された通信品質情報を、位置情報格納部２７に記憶された位置情報と共に送信する通信品質情報送信部２４とを備える。【選択図】図１
2015095674.tif 000002
【特許請求の範囲】
【請求項１】
位置計測を実行して位置情報を取得する測位手段と、
複数のアプリケーションプログラムによる測位要求を検出し、前記測位要求に応じて前記測位手段によって取得された位置情報を記憶手段に記憶する位置情報記憶手段と、
通信品質を検出することによって前記通信品質に関する通信品質情報を取得する通信品質検出手段と、
前記通信品質検出手段によって取得された前記通信品質情報を、前記記憶手段に記憶された前記位置情報と共に送信する情報送信手段と、
を備える通信品質情報送信装置。
【請求項２】
前記測位手段は前記位置情報に関する誤差情報をさらに取得し、
前記位置情報記憶手段は、前記位置情報に対応付けて前記誤差情報を前記記憶手段に記憶し、
前記情報送信手段は、前記記憶手段から前記誤差情報を基に前記位置情報を選択し、該位置情報を前記通信品質情報と共に送信する、
請求項１記載の通信品質情報送信装置。
【請求項３】
前記情報送信手段は、所定時間内に取得された複数の位置情報の中から最も小さい前記誤差情報に対応付けられた前記位置情報を選択する、
請求項２記載の通信品質情報送信装置。
【請求項４】
前記情報送信手段は、取得した複数の位置情報の変化が安定した時点で前記記憶手段に記憶された複数の位置情報の中から前記位置情報を選択する、
請求項１〜３のいずれか１項に記載の通信品質情報送信装置。
【請求項５】
前記位置情報記憶手段は、前記位置情報を取得した時間に関する取得時間情報を、前記位置情報に対応付けて前記記憶手段に記憶し、
前記情報送信手段は、現在時刻との時間差が規定値以下である取得時間情報に対応付けられている前記位置情報を、前記通信品質情報と共に送信する、
請求項１〜４のいずれか１項に記載の通信品質情報送信装置。
【請求項６】
移動速度を検出する速度検出手段をさらに備え、
前記情報送信手段は、前記規定値を前記移動速度に応じて設定する、
請求項５記載の通信品質情報送信装置。
【請求項７】
前記測位手段は、前記記憶手段に記憶されている第１の位置情報が、現在時刻との時間差が規定値以上の取得時間情報に対応付けられている場合は、前記第１の位置情報を計測した測位方式より精度の低い別の測位方式で再度第２の位置情報を取得し、
前記情報送信手段は、前記第１の位置情報の示す位置と前記第２の位置情報の示す位置との距離が前記位置計測の誤差に応じて設定された値以下の場合は、前記第１の位置情報を前記通信品質情報と共に送信する、
請求項５記載の通信品質情報送信装置。
【請求項８】
移動速度を検出する速度検出手段をさらに備え、
前記情報送信手段は、前記位置計測の誤差に応じて設定された値を前記移動速度に応じて設定する、
請求項７記載の通信品質情報送信装置。
【請求項９】
測位手段が、位置計測を実行して位置情報を取得する測位ステップと、
位置情報記憶手段が、複数のアプリケーションプログラムによる測位要求を検出し、前記測位要求に応じて前記測位手段によって取得された位置情報を記憶手段に記憶する位置情報記憶ステップと、
通信品質検出手段が、通信品質を検出することによって前記通信品質に関する通信品質情報を取得する通信品質検出ステップと、
情報送信手段が、前記通信品質検出手段によって取得された前記通信品質情報を、前記記憶手段に記憶された前記位置情報と共に送信する情報送信ステップと、
を備える通信品質情報送信方法。
【請求項１０】
コンピュータを、
位置計測を実行して位置情報を取得する測位手段、
複数のアプリケーションプログラムによる測位要求を検出し、前記測位要求に応じて前記測位手段によって取得された位置情報を記憶手段に記憶する位置情報記憶手段、
通信品質を検出することによって前記通信品質に関する通信品質情報を取得する通信品質検出手段、及び
前記通信品質検出手段によって取得された前記通信品質情報を、前記記憶手段に記憶された前記位置情報と共に送信する情報送信手段、
として機能させる通信品質情報送信プログラム。
【発明の詳細な説明】
【技術分野】
【０００１】
本発明は、通信品質に関する情報を送信する通信品質情報送信装置、通信品質情報送信方法、及び通信品質情報送信プログラムに関するものである。
【背景技術】
【０００２】
従来から、ＧＰＳ（Global Positioning System）等を用いて取得された位置情報を、各種センサにより取得された情報と共に通信ネットワークを介して収集する情報収集システムが用いられている。例えば、ＧＰＳ測位により取得された位置情報と時刻情報等のその他の情報との組み合わせを電子メールにパッケージ化して送信する情報収集システム、車両の環境情報（路面の凹凸等）を位置情報と共に取得し通信手段を介してデータベースに保存する情報収集システム、或いは、所定のイベントが発生したときにＧＰＳ情報及び各種センサ情報を取得しサーバに送信する情報収集システムが知られている（下記特許文献１〜３）。
【先行技術文献】
【特許文献】
【０００３】
【特許文献１】特開２００７−１７３８９２号公報
【特許文献２】特開２００９−２６６１７５号公報
【特許文献３】特開２０１３−１８６５３９号公報
【発明の概要】
【発明が解決しようとする課題】
【０００４】
ところで、上述したような情報収集システムにおいては、情報収集頻度に応じてＧＰＳ測位等の位置計測処理の頻度が高まり、それに応じて情報送信元の端末装置の電力消費量が増加する傾向にあった。
【０００５】
そこで、本発明はかかる課題に鑑みて為されたものであり、位置計測による電力消費を低減することが可能な通信品質情報送信装置及び通信品質情報送信方法を提供することを目的とする。
【課題を解決するための手段】
【０００６】
本発明の一形態に係る通信品質情報送信装置は、位置計測を実行して位置情報を取得する測位手段と、複数のアプリケーションプログラムによる測位要求を検出し、測位要求に応じて測位手段によって取得された位置情報を記憶手段に記憶する位置情報記憶手段と、通信品質を検出することによって通信品質に関する通信品質情報を取得する通信品質検出手段と、通信品質検出手段によって取得された通信品質情報を、記憶手段に記憶された位置情報と共に送信する情報送信手段と、を備える。
【０００７】
或いは、本発明の別形態に係る通信品質情報送信方法は、測位手段が、位置計測を実行して位置情報を取得する測位ステップと、位置情報記憶手段が、複数のアプリケーションプログラムによる測位要求を検出し、測位要求に応じて測位手段によって取得された位置情報を記憶手段に記憶する位置情報記憶ステップと、通信品質検出手段が、通信品質を検出することによって通信品質に関する通信品質情報を取得する通信品質検出ステップと、情報送信手段が、通信品質検出手段によって取得された通信品質情報を、記憶手段に記憶された位置情報と共に送信する情報送信ステップと、を備える。
【０００８】
或いは、本発明の別形態に係る通信品質情報送信プログラムは、コンピュータを、位置計測を実行して位置情報を取得する測位手段、複数のアプリケーションプログラムによる測位要求を検出し、測位要求に応じて測位手段によって取得された位置情報を記憶手段に記憶する位置情報記憶手段、通信品質を検出することによって通信品質に関する通信品質情報を取得する通信品質検出手段、及び通信品質検出手段によって取得された通信品質情報を、記憶手段に記憶された位置情報と共に送信する情報送信手段、として機能させる。
【０００９】
このような通信品質情報送信装置、通信品質情報送信方法、或いは通信品質情報送信プログラムにおいては、位置情報記憶手段によって、複数のアプリケーションプログラムからの要求に応じて取得された位置情報がその都度記憶手段に記憶され、情報送信手段によって、通信品質検出手段によって取得された通信品質情報に対して記憶手段に記憶されている位置情報が付加されて送信される。これにより、検出された通信品質情報に付加される位置情報に、他のアプリケーションにより取得された位置情報を流用することにより、通信品質検出時の位置計測処理の削減が可能となり、情報提供元の装置の電力消費量を低減することが可能になる。
【００１０】
上記通信品質情報送信装置においては、測位手段は位置情報に関する誤差情報をさらに取得し、位置情報記憶手段は、位置情報に対応付けて誤差情報を記憶手段に記憶し、情報送信手段は、記憶手段から誤差情報を基に位置情報を選択し、該位置情報を通信品質情報と共に送信する、ことが好適である。この場合、記憶手段に記憶された複数の位置情報の中から誤差情報を基に適切な位置情報を選択して送信することができる。
【００１１】
また、情報送信手段は、所定時間内に取得された複数の位置情報の中から最も小さい誤差情報に対応付けられた位置情報を選択する、ことも好適である。かかる構成を採れば、記憶手段に記憶された複数の位置情報の中から誤差の小さい正確な位置情報を選択して送信することができる。
【００１２】
さらに、情報送信手段は、取得した複数の位置情報の変化が安定した時点で記憶手段に記憶された複数の位置情報の中から位置情報を選択する、ことも好適である。こうすれば、記憶手段に記憶された複数の位置情報の中から誤差の小さい正確な位置情報を選択して送信することができる。
【００１３】
またさらに、位置情報記憶手段は、位置情報を取得した時間に関する取得時間情報を、位置情報に対応付けて記憶手段に記憶し、情報送信手段は、現在時刻との時間差が規定値以下である取得時間情報に対応付けられている位置情報を、通信品質情報と共に送信する、ことも好適である。かかる構成を採れば、記憶手段に記憶された複数の位置情報の中から通信品質情報の取得時の位置との誤差の小さい正確な位置情報を選択して送信することができる。
【００１４】
さらにまた、移動速度を検出する速度検出手段をさらに備え、情報送信手段は、規定値を移動速度に応じて設定する、ことも好適である。この場合、送信する位置情報の示す位置と通信品質情報の取得時の位置との誤差を、移動速度に関係なく低減することができる。
【００１５】
また、測位手段は、記憶手段に記憶されている第１の位置情報が、現在時刻との時間差が規定値以上の取得時間情報に対応付けられている場合は、第１の位置情報を計測した測位方式より精度の低い別の測位方式で再度第２の位置情報を取得し、情報送信手段は、第１の位置情報の示す位置と第２の位置情報の示す位置との距離が位置計測の誤差に応じて設定された値以下の場合は、第１の位置情報を通信品質情報と共に送信する、ことも好適である。こうすれば、移動速度が小さい場合に記憶手段に記憶されている位置情報を有効利用しつつ、提供する位置情報の誤差を抑えることができる。
【００１６】
さらに、移動速度を検出する速度検出手段をさらに備え、情報送信手段は、位置計測の誤差に応じて設定された値を移動速度に応じて設定する、ことも好適である。この場合、提供する位置情報の示す位置と通信品質情報の取得時の位置との誤差を、移動速度に関係なく低減することができる。
【発明の効果】
【００１７】
本発明によれば、位置計測による電力消費を低減することができる。
【図面の簡単な説明】
【００１８】
【図１】本実施形態の好適な実施形態に係る通信品質情報収集システムのシステム構成を示す図である。
【図２】図１の携帯型端末装置２のハードウェア構成を示すブロック図である。
【図３】図１の位置情報記憶部２２によって位置情報格納部２７に記憶された位置情報のデータ構成の一例を示す図である。
【図４】図１の通信品質検出部２３により通信品質情報格納部２８に格納された通信品質情報のデータ構成の一例を示す図である。
【図５】図１の携帯型端末装置２の通信品質情報の取得及び送信時の動作を示すフローチャートである。
【図６】本発明の変形例における携帯型端末装置２の通信品質情報の取得及び送信時の動作を示すフローチャートである。
【図７】本発明の変形例における携帯型端末装置２の通信品質情報の取得及び送信時の動作を示すフローチャートである。
【図８】本発明の変形例における携帯型端末装置２の通信品質情報の取得及び送信時の動作を示すフローチャートである。
【発明を実施するための形態】
【００１９】
以下、図面とともに本発明による通信品質情報送信装置及び通信品質情報送信方法の好適な実施形態について詳細に説明する。なお、図面の説明においては同一要素には同一符号を付し、重複する説明を省略する。
【００２０】
図１は、本実施形態の好適な一実施形態に係る通信品質情報収集システムのシステム構成を示す図である。同図に示す通信品質情報収集システムは、ＬＴＥ（Long Term Evolution）等の複数の通信規格（通信プロトコル）に準拠した無線通信を利用して通信品質情報送信装置である複数の携帯型端末装置２から通信品質情報を収集する通信システムである。この通信品質情報収集システムは、複数の携帯型端末装置２と、通信品質情報を収集して蓄積する情報収集用サーバ１とを含んで構成されている。本実施形態の通信品質情報収集システムにおいては、各装置は、物理的に一台の装置で構成されていてもよいし、複数台の装置によって構成された処理システムであってもよい。
【００２１】
同図に示すように、携帯型端末装置２は、機能的には、測位部（測位手段）２１、位置情報記憶部（位置情報記憶手段）２２、通信品質検出部（通信品質検出手段）２３、通信品質情報送信部（情報送信手段）２４、速度検出部（速度検出手段）２５、複数のアプリケーションプログラム２６ａ，２６ｂ，…、位置情報格納部（記憶手段）２７、及び通信品質情報格納部２８を備える。この携帯型端末装置２は、通信ネットワークＮＷを介して情報収集用サーバ１との間でデータ通信が可能に構成されたスマートフォン、タブレット端末等に代表される通信端末装置である。
【００２２】
携帯型端末装置２は、図２に示すように、物理的には、１又は複数のＣＰＵ１０１、主記憶装置であるＲＡＭ１０２及びＲＯＭ１０３、タッチパネル等の入力デバイスである入力装置１０４、ディスプレイ等の出力装置１０５、データ送受信デバイスである通信モジュール１０６、位置計測処理を実行するデバイスである測位モジュール１０７、半導体メモリ等の補助記憶装置１０８などを含むコンピュータシステムとして構成されている。図１における携帯型端末装置２の各機能は、図２に示されるＣＰＵ１０１、ＲＡＭ１０２等のハードウェア上に１又は複数の所定のコンピュータソフトウェア（本実施形態の通信品質情報送信プログラム）を読み込ませることにより、ＣＰＵ１０１の制御のもとで入力装置１０４、出力装置１０５、通信モジュール１０６、及び測位モジュール１０７を動作させるとともに、ＲＡＭ１０２や補助記憶装置１０８におけるデータの読み出し及び書き込みを行うことで実現される。
【００２３】
以下、携帯型端末装置２の各部の機能について詳細に説明する。
【００２４】
測位部２１は、携帯型端末装置２の位置計測処理を実行して携帯型端末装置２の位置を示す位置情報を取得する。例えば、測位部２１はＧＰＳ測位を利用して測位処理を実行し、携帯型端末装置２の現在位置の緯度、経度、及び高度を含む位置情報を取得する。このとき、測位部２１は、自立測位によって測位処理を実行してもよいし、通信ネットワークＮＷを介してサーバ装置と相互に通信しながら測位を行うアシステッドＧＰＳ方式によって位置計測処理を実行してもよい。また、測位部２１は、ＧＰＳ測位以外にも、在圏する無線基地局からの電波を利用するネットワーク測位、或いは無線ＬＡＮアクセスポイントからの位置情報を利用する無線ＬＡＮ測位を利用して位置計測を実行することもできる。
【００２５】
アプリケーションプログラム２６ａ，２６ｂ，…は、携帯型端末装置２において測位部２１によって取得された位置情報を利用して動作するプログラムである。例えば、アプリケーションプログラム２６ａ，２６ｂ，…は、位置情報を利用して地図データをダウンロードする地図表示用ソフトウェア、位置情報を利用して経路情報を表示するナビゲーションソフトウェア、現在地に対応した天気予報、店舗情報等の各種情報を取得する情報閲覧用ソフトウェア、位置情報を利用するＳＮＳ（Social Networking Service）ソフトウェア等である。これらのアプリケーションプログラム２６ａ，２６ｂ，…は、それらの動作時に測位部２１に対して測位要求を随時通知し、それに応じて測位部２１から返された位置情報を利用して動作する。
【００２６】
位置情報記憶部２２は、アプリケーションプログラム２６ａ，２６ｂ，…による測位要求を検出し、その測位要求に応じて測位部２１によって取得された位置情報をその都度位置情報格納部２７に蓄積して記憶する。図３には、位置情報記憶部２２によって位置情報格納部２７に記憶された位置情報のデータ構成の一例を示している。同図に示すように、位置情報格納部２７に記憶される位置情報には、それぞれの位置情報を一意に識別するための識別情報（ＩＤ）“345”と、測位部２１による位置情報の取得日時を示す日時情報“2013年10月4日15時15分24.543秒”と、測位結果を示す緯度“35.681382”、経度“139.766084”、及び高度“10.0[m]”と、携帯型端末装置２の移動速度“0.0[m/s]”と、位置計測処理の計測誤差（誤差情報）“50.0[m]”と、位置計測処理の方式を示す測位手段“GPS”とが互いに対応付けられている。この位置情報に含まれる移動速度は、位置情報格納部２７に位置情報が記憶されるタイミングで速度検出部２５によって計算されて反映され、位置情報に含まれる計測誤差は、測位部２１により、利用する位置計測方式に応じて位置計測処理の都度決定および反映される。詳細には、移動速度は、速度検出部２５により、位置情報格納部２７に記憶された時間的に前後する複数の位置情報の示す位置間の距離、及びそれらの複数の位置情報の取得日時の時間差を基に算出される。その一方で、移動速度は、携帯型端末装置２に内蔵される速度センサの計測結果を基に速度検出部２５によって検出されてもよい。
【００２７】
図１に戻って、通信品質検出部２３は、位置情報格納部２７に有効な位置情報が記憶されているかを確認し、有効な位置情報が記憶されている際に、通信ネットワークＮＷに関する通信品質を検出し、検出した通信品質に関する通信品質情報を取得する。この通信品質検出部２３が取得する通信品質情報としては、通信ネットワークＮＷを構成する無線基地局と携帯型端末装置２との間の無線品質を表す情報が挙げられる。例えば、通信品質検出部２３は、基準信号受信パワーＲＳＲＰ（Reference Signal Received Power）、基準信号受信品質ＲＳＲＱ（Reference Signal Received Quality）、受信信号コード電力ＲＳＣＰ（Received Signal Code Power）、送受信データのビットレート、送受信データのエラーレート、信号遅延時間ＲＴＴ（Round-Trip Time）、電波到達圏内／圏外の切り替わり、或いは携帯型端末装置２の接続先のネットワーク種別（3GPP:3rd Generation Partnership Project/LTE:Long Term Evolution/WiFi:Wireless Fidelity）の切り替わりを検出し、それらに関する情報を取得する。そして、通信品質検出部２３は、取得した通信品質情報を通信品質情報格納部２８に格納する。なお、通信品質検出部２３は、取得した通信品質情報を格納部に格納しないで、そのまま通信品質情報送信部２４に引き渡すように動作してもよい。
【００２８】
図４には、通信品質検出部２３により通信品質情報格納部２８に格納された通信品質情報のデータ構成の一例を示している。同図に示すように、通信品質情報格納部２８に格納される通信品質情報には、それぞれの通信品質情報を一意に識別するための識別情報（ＩＤ）“512”と、通信品質検出部２３による通信品質情報の取得日時を示す日時情報“2013年10月4日15時17分11.009秒”と、取得された通信品質情報である基準信号受信パワーＲＳＲＰ“-90”、基準信号受信品質ＲＳＲＱ“-6.5”、信号遅延時間ＲＴＴ“123[ms]”、ダウンロードスループット“25,857[kbps]”、アップロードスループット“5,211[kbps]”、及びネットワーク種別“LTE”とが互いに対応付けられている。
【００２９】
ここで、通信品質検出部２３は、所定時間Ｔｃ１間隔の定期的なタイミングで位置情報格納部２７に有効な位置情報が格納されているか否かを判断し、有効な位置情報が格納されていると判断したタイミングで通信品質情報を検出及び取得する。詳細には、通信品質検出部２３は、未だ情報収集用サーバ１に送信されていない位置情報を有効な位置情報として判断する。また、通信品質検出部２３は、定期的なタイミングで位置情報を判断する代わりに、アプリケーションプログラム２６ａ，２６ｂ，…によって測位要求が為されて位置情報格納部２７に新たな位置情報が所定数格納されたタイミングで通信品質情報を検出及び取得することもできる。
【００３０】
通信品質情報送信部２４は、通信品質検出部２３によって通信品質情報が取得されるタイミングで、通信品質情報格納部２８から通信品質情報を読み出し、その通信品質情報と位置情報格納部２７に記憶された位置情報とを対応付けて送信情報を生成し、その送信情報を情報収集用サーバ１に送信する。すなわち、通信品質情報送信部２４は、通信品質情報格納部２８において所定時間Ｔｃ１内に取得された有効な位置情報が複数存在する場合には、それらの位置情報の中で最も小さい測定誤差に対応付けられた位置情報を選択する。そして、通信品質情報送信部２４は、通信品質情報に対して選択した位置情報を組み合わせて送信情報を生成する。
【００３１】
次に、上述した携帯型端末装置２による通信品質情報の取得及び送信時の動作について説明するとともに、本実施形態に係る通信品質情報送信方法について詳述する。図５は、携帯型端末装置２の通信品質情報の取得及び送信時の動作を示すフローチャートである。
【００３２】
まず、複数のアプリケーションプログラム２６ａ，２６ｂ，…による測位要求に応じて位置情報の取得履歴が位置情報格納部２７に格納される一方で、所定時間Ｔｃ１間隔の定期的なタイミングで、通信品質検出部２３によって位置情報格納部２７内の位置情報が確認される（ステップＳ１０１）。そして、通信品質検出部２３により、位置情報格納部２７内に有効な位置情報が存在するか否かが判定される（ステップＳ１０２）。判定の結果、有効な位置情報が存在しないと判定された場合（ステップＳ１０２；Ｎｏ）、処理がステップＳ１０１に戻され、所定時間Ｔｃ１後の次のタイミングで再度位置情報が確認される。
【００３３】
一方、判定の結果、有効な位置情報が存在すると判定された場合（ステップＳ１０２；Ｙｅｓ）、通信品質情報送信部２４により、位置情報格納部２７に格納された複数の有効な位置情報の中から、計測誤差が最も小さい位置情報が選択される（ステップＳ１０３）。次に、通信品質検出部２３により、通信品質が検出されることにより通信品質情報が取得される（ステップＳ１０４）。その後、通信品質情報送信部２４により、通信品質検出部２３によって取得された通信品質情報に、ステップＳ１０３で選択された位置情報が付加されて送信情報が生成される（ステップＳ１０５）。最後に、通信品質情報送信部２４により、生成された送信情報が情報収集用サーバ１に送信される（ステップＳ１０６）。以上のような測位履歴の確認から通信品質情報の送信までの処理は、所定時間Ｔｃ１間隔で繰り返し実行される。
【００３４】
以上説明した携帯型端末装置２或いは携帯型端末装置２による通信品質情報送信方法によれば、位置情報記憶部２２によってアプリケーションプログラム２６ａ，２６ｂ，…からの要求に応じて取得された位置情報がその都度位置情報格納部２７に記憶され、通信品質情報送信部２４によって通信品質検出部２３によって取得された通信品質情報に対して位置情報格納部２７に記憶されている位置情報が付加されて送信される。これにより、検出された通信品質情報に付加される位置情報に、他のアプリケーションにより取得された位置情報を流用することにより、通信品質検出時の位置計測処理の削減が可能となる。その結果、情報提供元の携帯型端末装置２の位置計測に起因する電力消費量或いはネットワークリソースの消費量を低減することが可能になる。
【００３５】
また、携帯型端末装置２においては、測位部２１は位置情報に関する計測誤差をさらに取得し、位置情報記憶部２２は位置情報に対応付けて計測誤差を位置情報格納部２７に記憶し、通信品質情報送信部２４は位置情報格納部２７から最も小さい計測誤差を有する位置情報を選択する。このように動作することで、位置情報格納部２７に記憶された複数の位置情報の中から誤差の小さい正確な位置情報を選択して、通信品質情報に付加して送信することができる。
【００３６】
なお、本発明は、上述した実施形態に限定されるものではない。例えば、携帯型端末装置２の通信品質情報送信部２４は、所定時間Ｔｃ１間隔で有効な複数の位置情報の中から通信品質情報に付加する位置情報を選択する場合には限定されず、位置情報格納部２７に記憶される有効な位置情報の変化が安定した時点で位置情報を選択してもよい。具体的には、通信品質検出部２３が、位置情報格納部２７に新たに格納された有効な位置情報を時系列に複数参照し、それらの位置情報の間での計測誤差の変化量が所定値以下に安定化した時点で通信品質を検出し、その検出タイミングで通信品質情報送信部２４が有効な位置情報の中から位置情報を選択する。これにより、位置情報格納部２７に記憶された複数の位置情報の中から誤差の小さい正確な位置情報を選択して通信品質情報に付加して送信することができる。また、通信品質検出部２３が計測誤差を参照して位置情報の安定化を判断する以外に、位置情報に含まれる緯度、経度、及び高度が示す位置自体の安定化を判断してもよい。
【００３７】
また、通信品質検出部２３が有効な位置情報を判断する際には、位置情報に含まれる取得時間情報を併せて判断するようにしてもよい。図６には、この場合の携帯型端末装置２の通信品質情報の取得及び送信時の動作を示すフローチャートである。同図に示すステップＳ２０１，Ｓ２０２，Ｓ２０４〜Ｓ２０６の動作は、図５に示したステップＳ１０２，Ｓ１０２，Ｓ１０４〜Ｓ１０６の動作と同一であるので、詳細な説明を省略する。この実施例では、通信品質検出部２３による有効な位置情報の存在の判定後に、通信品質検出部２３により、有効な位置情報に含まれる取得日時と現在日時との時間差が規定値ＴＣ以下であるか否かが判定される（ステップＳ２０３）。判定の結果、有効な位置情報に含まれる取得日時と現在日時との時間差が規定値ＴＣを超えている場合には（ステップＳ２０３；Ｎｏ）、その位置情報が参照時において古い情報であると判断されて、処理が次のタイミングでの位置情報の確認処理（ステップＳ２０１）に戻される。その一方で、有効な位置情報に含まれる取得日時と現在日時との時間差が規定値ＴＣ以下である場合には（ステップＳ２０３；Ｙｅｓ）、取得された通信品質情報にその位置情報が付加される（ステップＳ２０４〜Ｓ２０６）。なお、取得日時と現在日時との時間差が規定値ＴＣ以下である位置情報が複数存在する場合には、それらの複数の位置情報から付加する位置情報が１つ選択される。例えば、取得日時が最新の位置情報や計測誤差が最も小さい位置情報が選択される。このような処理によれば、位置情報格納部２７に記憶された複数の位置情報の中から通信品質情報の取得時の位置との誤差の小さい正確な位置情報を選択して送信することができる。
【００３８】
また、図６のステップＳ２０３での判断で用いられる規定値ＴＣは、速度検出部２５によって検出される移動速度に応じて設定されてもよい。図７には、この場合の携帯型端末装置２の通信品質情報の取得及び送信時の動作を示すフローチャートである。同図に示すステップＳ３０１，Ｓ３０２，Ｓ３０４〜Ｓ３０７の動作は、図６に示したステップＳ２０１〜Ｓ２０６の動作と同一であるので、詳細な説明を省略する。この実施例では、通信品質検出部２３による有効な位置情報の存在の判定後に、速度検出部２５によって検出される携帯型端末装置２の移動速度を基に、規定値ＴＣが算出される（ステップＳ３０３）。その後、ステップＳ３０４において、有効な位置情報に含まれる取得日時と現在日時との時間差が規定値ＴＣを超えているか否かが判定される。例えば、規定値ＴＣは、移動速度が大きいほど小さい値となるように算出されることが好ましい。このようにすれば、通信品質情報に付加される位置情報の示す位置と通信品質情報の取得時の位置との誤差を、携帯型端末装置２の移動速度に関係なく低減することができる。
【００３９】
また、図６のステップＳ２０３での判断において、有効な位置情報Ｐ１の取得日時と現在日時との時間差が規定値ＴＣを超えている場合には、新たに低精度の測位方式で得た測位結果を基に、位置情報Ｐ１を通信品質情報に付加するか否かを判断してもよい。図８には、この場合の携帯型端末装置２の通信品質情報の取得及び送信時の動作を示すフローチャートである。同図に示すステップＳ４０１，Ｓ４０２，Ｓ４０４〜Ｓ４０６の動作は、図６に示したステップＳ２０１，Ｓ２０２，Ｓ２０４〜Ｓ２０６の動作と同一であるので、詳細な説明を省略する。この実施例では、通信品質検出部２３により有効な位置情報Ｐ１に含まれる取得日時と現在日時との時間差が規定値ＴＣを超えていると判定された場合には（ステップＳ４０３；Ｎｏ）、測位部２１によりネットワーク測位方式等の比較的低精度であって、電力消費の小さい測位方式によって位置計測が実行され、位置情報Ｐ２が取得される。なお、取得日時と現在日時との時間差が規定値ＴＣを超えている位置情報が複数存在する場合には、それらの複数の位置情報から位置情報Ｐ１が１つ選択される。例えば、取得日時が最新の位置情報や計測誤差が最も小さい位置情報が選択される。次に、通信品質検出部２３によって、位置情報Ｐ２の示す位置と位置情報格納部２７から参照された有効な位置情報Ｐ１の示す位置との間の距離が規定値ＰＣ以下であるか否かが判断される（ステップＳ４０８）。この際、通信品質検出部２３は、規定値ＰＣを位置情報Ｐ１或いは位置情報Ｐ２に含まれる計測誤差に基づいて設定し、好ましくは計測誤差の増加に応じて増加する値に設定する。この判断の結果、位置情報Ｐ２の示す位置と位置情報Ｐ１の示す位置との間の距離が規定値ＰＣを超えている場合には（ステップＳ４０８；Ｎｏ）、位置情報Ｐ１の精度が低いと判断されて、処理がステップＳ４０１に戻されて再度新たな位置情報が確認される。一方、位置情報Ｐ２の示す位置と位置情報Ｐ１の示す位置との間の距離が規定値ＰＣ以下である場合には（ステップＳ４０８；Ｙｅｓ）、位置情報Ｐ１の精度が高いと判断されて処理がステップＳ４０４に移されて、通信品質情報に位置情報Ｐ１が付加されて送信される。こうすれば、携帯型端末装置２の移動速度が小さい場合に位置情報格納部２７に記憶されている位置情報を有効利用しつつ、通信品質情報と共に提供する位置情報の誤差を抑えることができる。
【００４０】
なお、ステップＳ４０８における判断時に参照される規定値ＰＣは、速度検出部２５によって位置情報Ｐ１或いは位置情報Ｐ２の取得時に検出される移動速度に応じて変化するように設定されてもよい。例えば、規定値ＰＣは、移動速度が高い場合には小さい値になるように設定される。また、ステップＳ４０８においては、位置情報Ｐ１，Ｐ２の取得時に同じ通信ネットワークＮＷ内の無線基地局の在圏エリアに存在しているか否かを判断し、同じ在圏エリアに存在していた場合に位置情報Ｐ１を利用するようにしてもよい。
【符号の説明】
【００４１】
２…携帯型端末装置（通信品質情報送信装置）、２１…測位部（測位手段）、２２…位置情報記憶部（位置情報記憶手段）、２３…通信品質検出部（通信品質検出手段）、２４…通信品質情報送信部（情報送信手段）、２５…速度検出部（速度検出手段）、２６ａ，２６ｂ…アプリケーションプログラム、２７…位置情報格納部（記憶手段）。
【図１】
2015095674.tif 000003
【図２】
2015095674.tif 000004
【図３】
2015095674.tif 000005
【図４】
2015095674.tif 000006
【図５】
2015095674.tif 000007
【図６】
2015095674.tif 000008
【図７】
2015095674.tif 000009
【図８】
2015095674.tif 000010